(57)【要約】【課題】軒天板を容易に取り外すことができ、しかも、軒天板の軒側の見栄えも良好なものにすることができる軒先構造を提供する。【解決手段】軒先水切り部分６と破風水切り部分７とを一体に含む金属製の板状水切り材３が備えられ、水切り材３の破風水切り部分７の下端部に、軒天板４の軒側の縁部を保持する軒天保持部１３が設けられている。該軒天保持部１３は、底板部１４と立ち上がり板部１５とを備え、立ち上がり板部１５に、爪部材１７が、外壁側に突出可能に案内保持されると共に、バネ２０により外壁側に突出した状態となるように付勢されて備えられ、爪部材１７で軒天板４の軒側の縁部を支承保持し、爪部材１７は爪隠し材２３で隠されている。【選択図】      図１
2008303556.tif 000002
【特許請求の範囲】
【請求項１】
軒先水切り部分と破風水切り部分とを一体に含む金属製の板状水切り材が備えられ、
該水切り材の破風水切り部分の下端部には、軒天板の軒側の縁部を保持する軒天保持部が設けられ、
該軒天保持部は、破風水切り部分の下端部から外壁側に屈折する底板部と、該底板部から上方に屈折する立ち上がり板部とを備え、該立ち上がり板部に、爪部材が、外壁側に突出可能に案内保持されると共に、付勢手段により外壁側に突出した状態となるように付勢されて備えられ、爪部材を付勢手段の付勢力に抗して軒側に後退させることで軒天板の軒側の縁部を爪部材の上方に位置させることができ、爪部材を付勢手段の付勢力によって外壁側に突出させることで軒天板の軒側の縁部の下面側に突出して軒天板の軒側の縁部を支承保持するようになされたものからなり、かつ、
軒天板の軒側の縁部を支承した爪部材が爪隠し材で隠されていることを特徴とする軒先構造。
【請求項２】
前記爪部材の突出側先端部の下面側が外壁側に向けて斜め上方に傾斜し、軒天板の軒側の縁部を上昇させることで、該傾斜部の作用によって、爪部材が付勢手段の付勢力に抗して軒側に後退し、軒天板の軒側の縁部が爪部材を越えることで、爪部材が付勢手段の付勢力で軒天板の軒側の縁部の下面側に進出して、支承状態を形成するようになされている請求項１に記載の軒先構造。
【請求項３】
前記水切り材の軒天保持部の立ち上がり板部の上端部から外壁側に屈折する天板部が備えられると共に、立ち上がり板部と天板部との連接部分に、該連接部分に沿って延びる掛止用スリットが設けられ、
前記爪隠し材は、水切り材の軒天保持部の立ち上がり板部と軒天板との間に差し込まれる差込み板部と、該差込み板部の下端部から外壁側に屈折した爪隠し板部とを備え、差込み部の上端部に掛止部が備えられ、前記差込み部が立ち上がり板部と軒天板との間に下から差し込まれ、掛止部が前記スリットに挿入掛止されることにより水切り材に保持されている請求項１又は２に記載の軒先構造。
【請求項４】
前記爪部材が間隔をおいた左右対の爪部を備え、スリットが該爪部間の上方に位置して備えられている請求項３に記載の軒先構造。
【請求項５】
前記水切り材の破風水切り部分の裏面部に垂木の下面部に沿うステー部が一体的に設けられ、
水切り材は、その軒先水切り部分が屋根面側において垂木の上面部に第１ビスで固定されると共に、破風水切り部分の裏面部のステー部が垂木の下面部に第２ビスで固定されることによって取り付けられ、該第２ビスは、そのビス軸線が水切り材の破風水切り部分の下端側部分と交錯しない態様で垂木の下面部に打たれている請求項１乃至４のいずれか一に記載の軒先構造。
【発明の詳細な説明】
【技術分野】
【０００１】
本発明は、軒先構造に関する。
【背景技術】
【０００２】
家屋の軒先部分の構造として、図８に示すように、垂木５１の上面部に広小舞５２が取り付けられると共に、垂木５１の端面部に破風下地５３が取り付けられ、広小舞５２には軒先水切り板５４が、破風下地５３には破風水切り板５５が取り付けられた構造のものは、従来より提供されている。５６は野地板である。
【０００３】
しかしながら、軒先水切り板５４や破風水切り板５５はそれぞれ、それらの形態的な制約から、それら単独では強度的に弱く、自ら形態を保持する力に欠けており、そのため、軒先には、これら水切り板５４，５５をそれらの形態が保持されるように裏から支える下地が必須であり、そのため、上記のような木からなる広小舞５２や破風下地５３をわざわざ備えさせなければならないという問題があった。
【０００４】
そこで、出願人は、過去の出願において、軒先水切り部分と破風水切り部分とを一体に含む形状保持性に優れた金属製の板状水切り材を用い、広小舞５２と破風下地５３のいずれか一方又は両方を省略して、この水切り材で軒先部分を構成した軒先構造を提案した。
【特許文献１】特開２００５−２５６５０４号公報
【発明の開示】
【発明が解決しようとする課題】
【０００５】
しかしながら、いずれの軒先構造においても、破風水切り板５５の下端部には、軒天板５７の軒側の縁部を隠すために、該縁部の下面側に突出する縁隠し板部５５ａが一体成形で備えられており、メンテナンスや交換のために軒天板５７の取外しをしようとすると、破風水切り板５５や軒樋５８も取り外さなければならず、軒天板５７の取外しが非常に厄介な作業になってしまうという問題がある。
【０００６】
本発明は、上記のような問題点に鑑み、軒天板を容易に取り外すことができ、しかも、軒天板の軒側の見栄えも良好なものにすることができる軒先構造を提供することを課題とする。
【課題を解決するための手段】
【０００７】
上記の課題は、軒先水切り部分と破風水切り部分とを一体に含む金属製の板状水切り材が備えられ、
該水切り材の破風水切り部分の下端部には、軒天板の軒側の縁部を保持する軒天保持部が設けられ、
該軒天保持部は、破風水切り部分の下端部から外壁側に斜め上方に屈折する底板部と、該底板部から上方に屈折する立ち上がり板部とを備え、該立ち上がり板部に、爪部材が、外壁側に突出可能に案内保持されると共に、付勢手段により外壁側に突出した状態となるように付勢されて備えられ、爪部材を付勢手段の付勢力に抗して軒側に後退させることで軒天板の軒側の縁部を爪部材の上方に位置させることができ、爪部材を付勢手段の付勢力によって外壁側に突出させることで軒天板の軒側の縁部の下面側に突出して軒天板の軒側の縁部を支承保持するようになされたものからなり、かつ、
軒天板の軒側の縁部を支承した爪部材が爪隠し材で隠されていることを特徴とする軒先構造によって解決される（第１発明）。
【０００８】
この軒先構造では、軒天板の取外しは、爪隠し材を取り外したのち、下から、爪部材を付勢手段の付勢力に抗して後退させるだけで、爪部材による軒天板の軒側の縁部の支承が解除され、軒天板を取り外すことができ、この取外しに、水切り材の取外しや軒樋の取外しは不要で、軒天板を容易に取り外すことができる。
【０００９】
しかも、軒天保持部は、軒先水切り部分と破風水切り部分とを一体に含む形状保持性に優れた水切り材の軒先水切り部分の下端部に備えられているので、軒天板の軒側の縁部の支承安定性を良好なものにすることができる。
【００１０】
加えて、軒天板の軒側の縁部を支承する爪部材は、爪隠し材で隠蔽されているので、仕上がり状態も見栄えの良いものにすることができる。
【００１１】
第１発明において、前記爪部材の突出側先端部の下面側が外壁側に向けて斜め上方に傾斜し、軒天板の軒側の縁部を上昇させることで、該傾斜部の作用によって、爪部材が付勢手段の付勢力に抗して軒側に後退し、軒天板の軒側の縁部が爪部材を越えることで、爪部材が付勢手段の付勢力で軒天板の軒側の縁部の下面側に進出して、支承状態を形成するようになされているとよい（第２発明）。
【００１２】
この場合は、軒天板の軒側の縁部を上昇させていくだけで、爪部材を後退、進出させることができて、軒天板の取付けも容易にすることができる。
【００１３】
第１、第２発明において、前記水切り材の軒天保持部の立ち上がり板部の上端部から外壁側に屈折する天板部が備えられると共に、立ち上がり板部と天板部との連接部分に、該連接部分に沿って延びる掛止用スリットが設けられ、
前記爪隠し材は、水切り材の軒天保持部の立ち上がり板部と軒天板との間に差し込まれる差込み板部と、該差込み板部の下端部から外壁側に屈折した爪隠し板部とを備え、差込み部の上端部に掛止部が備えられ、前記差込み部が立ち上がり板部と軒天板との間に下から差し込まれ、掛止部が前記スリットに挿入掛止されることにより水切り材に保持されているとよい（第３発明）。
【００１４】
この場合は、爪隠し材の差込み板部を軒天保持部の立ち上がり板部と軒天板との間に差し込んで掛止部をスリットに挿入掛止するだけで、爪隠し材を取付け状態にすることができ、爪隠し材を容易に取り付けることができるのみならず、
爪隠し板部が、差込み板部の下端部から外壁側に屈折するように備えられているので、爪隠し材は、その自重により、差込み板部が、水切り材の破風水切り部分の背面部側に重力付勢されて、該背面部に位置決めされ、フラツキのない安定した取付け状態を形成することができる。
【００１５】
第３発明において、爪部材が間隔をおいた左右対の爪部を備え、スリットが該爪部間の上方に位置して備えられているとよい（第４発明）。
【００１６】
この場合は、軒天板の軒側の縁部を爪部材に支承させた状態で隠れてしまうスリットに対して、爪隠し材の差込み板部の掛止部を、目視可能な爪部材の対の爪部間を通じて、差し込んでいくことにより、該掛止部をスリットに容易に挿入掛止させることができて、爪隠し材の取付けを容易にすることができる。
【００１７】
また、第１〜第４発明において、前記水切り材の破風水切り部分の裏面部に垂木の下面部に沿うステー部が一体的に設けられ、
水切り材は、その軒先水切り部分が屋根面側において垂木の上面部に第１ビスで固定されると共に、破風水切り部分の裏面部のステー部が垂木の下面部に第２ビスで固定されることによって取り付けられ、該第２ビスは、そのビス軸線が水切り材の破風水切り部分の下端側部分と交錯しない態様で垂木の下面部に打たれているとよい（第５発明）。
【００１８】
この場合は、水切り材を、ステー部８を利用して、第１，第２の両ビスで、軒先部分に安定良くしっかりと取り付けることができ、
しかも、上記のような態様でステー部を備えさせていることにより、屋外に晒されたままにされる破風水切り部分の外面部への現場でのビス打ちを省略することができて、破風水切り部分の止水性能を良好なものにすることができ、
加えて、第２ビスは、そのビス軸線が水切り材の破風水切り部分の下端側部分と交錯しない態様で垂木の下面部に打たれているので、第２ビスを、水切り材の破風水切り部分の下端側部分の存在に妨げられることなく、ステー部を通じて垂木の下面部に打つことができ、水切り材を施工容易に取り付けることができる。
【発明の効果】
【００１９】
本発明の軒先構造は、以上のとおりのものであるから、軒天板を容易に取り外すことができ、しかも、軒天板の軒側の見栄えも良好なものにすることができる。
【発明を実施するための最良の形態】
【００２０】
次に、本発明の実施最良形態を図面に基づいて説明する。
【００２１】
図１〜図７に示す実施形態の軒先構造において、１は垂木、２は野地板、３は水切り材、４は軒天板、５は軒樋である。
【００２２】
水切り材３は、図２に示すように、軒先水切り部分６と破風水切り部分７とを一体に含むステンレス等の金属製の板状水切り材からなっていて、水切り材３の破風水切り部分７の裏面部には、垂木１の下面部に沿うステー部８がリベット等により止水状態となるように予め一体的に取り付けられていて、該ステー部８と、軒先水切り部分６の上端部には、垂木１へのビス打ちのための下孔９，１０が設けられている。
【００２３】
そして、水切り材３は、図６（イ）（ロ）に示すように、軒先水切り部分６が、屋根面側において、野地板２の先端部と隣接するように配置されて、垂木１の上面部に第１ビス１１で固定されると共に、破風水切り部分７の裏面部のステー部８が垂木１の下面部に第２ビス１２で固定されて軒先部分に取り付けられる。
【００２４】
この取付け構造において、ステー部８を垂木１の下面部に固定する第２ビス１２は、そのビス軸線が水切り材３の破風水切り部分７の下端側部分と交錯しない態様で垂木１に打ち込むことができるように構成されており、水切り材３の破風水切り部分７の下端側部分の存在に妨げられることなく、第２ビス１２の打込み作業を行うことができるようになされている。
【００２５】
一方、水切り材３の破風水切り部分７の下端部には、図１に示すように、軒天板４の軒側の縁部を保持する軒天保持部１３が設けられている。該軒天保持部１３は、図１及び図４に示すように、破風水切り部分７の下端部から外壁側に斜め上方に水返し状に屈折する底板部１４と、該底板部１４の先端から上方に屈折する立ち上がり板部１５と、立ち上がり板部１５の上端部から外壁側に屈折する天板部１６とを備えており、立ち上がり板部１５に、爪部材１７が備えられている。
【００２６】
該爪部材１７は、図４（イ）に示すように、左右対の垂直板状の爪部１７ａ，１７ａを備えたコの字状部品からなっていて、図４（ロ）（ハ）（ニ）に示すように、左右の爪部１７ａ，１７ａは、立ち上がり板部１５に設けられた左右の縦向きスリット１８，１８に、立ち上がり板部１５の背面側から通され、該立ち上がり板部１５と、該立ち上がり板部１５に設けられた背後の軸部１９とに支持されて、立ち上がり板部１５から外壁側に突出したり、軒側に後退したりすることができるようになされている。そして、付勢手段としてのバネ２０が備えられ、該バネ２０の付勢力と、爪部材１７の爪部１７ａ，１７ａの基端部に設けられた段部２１により、図４（ロ）（ハ）に示すように、爪部材１７が立ち上がり板部１５から外壁側に突出した状態に保持されるようになされており、図４（ニ）に示すように、該爪部材１７の爪部１７ａ，１７ａに軒側への力が作用すると、該爪部材１７は、バネ２０の付勢力に抗して軒側に後退するようになされている。
【００２７】
そして、図４（イ）（ロ）に示すように、爪部材１７の各爪部１７ａ，１７ａの先端部の下面側２２は、外壁側に向けて斜め上方に凸円弧状に傾斜し、図５（イ）（ロ）に示すように、軒天板４の軒側の縁部を上昇させることで、該傾斜部２２の作用によって、爪部材１７がバネ２０の付勢力に抗して軒側に後退し、図５（ハ）に示すように、軒天板４の軒側の縁部が爪部材１７を越えることで、爪部材１７がバネ２０の付勢力で軒天板４の軒側の縁部の下面側に進出して、軒天板４を支承した状態を形成することができるようになされている。
【００２８】
この支承状態において、軒天板４の軒側の縁部の下面側には、爪部材１７の爪部１７ａ，１７ａが露出しており、該爪部１７ａ，１７ａは、爪隠し材２３で隠されている。
【００２９】
爪隠し材２３は、次のようにして水切り材３に保持される。即ち、図３に示すように、軒天保持部１３の立ち上がり板部１５と天板部１６との連接部分には、該連接部分に沿って延びる掛止用スリット２４が設けられると共に、爪隠し材２３は、図１（ロ）及び図５（ニ）に示すように、水切り材３の軒天保持部１３の立ち上がり板部１５と軒天板４との間に差し込まれる差込み板部２５と、該差込み板部２５の下端部から外壁側に屈折した爪隠し板部２６とを備えており、差込み板部２６の上端部には掛止部２７ａが備えられ、差込み板部２６を立ち上がり板部１５と軒天板４との間に下から差し込んでいき、掛止部２７ａをスリット２４に挿入掛止することにより水切り材３に保持されるようになされている。
【００３０】
本実施形態では、爪隠し材２３に備えられた掛止部２７ａは、図５（ニ）に示すように、爪隠し材２３に掛止部品２７を取り付けて構成されている。該掛止部品２７は、金属製の板状品からなっていて、爪隠し材２３の爪隠し板部２６の上面部に沿わされるベース板部２７ｂと、該ベース板部２７ｂから差込み板部２５の内面部に沿うように立ち上がげられて差込み板部２５の上端部よりも上方に突出する左右対の脚板部２７ｃ，２７ｃと、各脚板部２７ｃ，２７ｃの上端部において、相反する方向に向けられた掛止部としての鉤板部２７ａ，２７ａとを備えている。
【００３１】
該掛止部品２７は、ベース板部２７ｂがその面内の左右方向における中央部分において、爪隠し材２３の爪隠し板部２６の上面に対して、リベット２８等により止め付けられることで、爪隠し材２３に備えられ、それにより、対の脚板部２７ｃ，２７ｃに、それらを寄せる方向の力が作用すると、ベース板部２７ｂの止付け部２８を挟む両側が爪隠し板部２６から浮くように弾性変形をして、対の脚板部２７ｃ，２７ｃが互いに寄る方向に変位をし、その力が解除されると、ベース板部２７ｂが爪隠し板部２６に沿うように復元して、対の脚板部２７ｃ，２７ｃも離れる方向に復帰をするようになされている。
【００３２】
そして、掛止部品２７の各鉤板部２７ａ，２７ａの上面２９，２９は、外方に向けて下方に傾斜する傾斜部に形成されており、両鉤板部２７ａ，２７ａがスリット２４に挿入されていく過程で、各傾斜部２９，２９がスリット２４の両端縁部に当接し、そして、脚板部２７ｃ，２７ｃが互いに寄る方向に弾性変位をし、鉤板部２７ａ，２７ａがスリット２４を越えると、脚板部２７ｃ，２７ｃが互いに離れる方向に復帰し、各鉤板部２７ａがスリット２４の両端縁部の上方に突出して、掛止状態が形成されるようになされている。
【００３３】
また、図３に示すように、上記のスリット２４は、爪部材１７の爪部１７ａ，１７ａ間の上方に位置して備えられており、図５に示すように、爪隠し材２３の差込み板部２５には、爪逃がし用のスリット３０，３０が設けられている。
【００３４】
上記の軒先構造によれば、軒天板４の取外しは、爪隠し材２３を治具等を用いて取り外したのち、下から、爪部材１７の爪部１７ａ，１７ａをバネ２０の付勢力に抗して後退させるだけで、爪部材１７による軒天板４の軒側の縁部の支承が解除され、軒天板４を取り外すことができ、この取外しに、水切り材３の取外しや軒樋５の取外しは不要で、軒天板４を容易に取り外すことができる。
【００３５】
しかも、軒天保持部１３は、軒先水切り部分６と破風水切り部分７とを一体に含む形状保持性に優れた水切り材３の軒先水切り部分６の下端部に備えられているので、軒天板４の軒側の縁部の支承安定性を良好なものにすることができる。
【００３６】
加えて、軒天板４の軒側の縁部を支承する爪部材１７は、爪隠し材２３で隠蔽されているので、軒天板４の取付け後の仕上がり状態も見栄えの良いものにすることができる。
【００３７】
また、軒天板４の取付けに関係する作業も、次のようにして容易に行っていくことができる。即ち、軒天板４の取付けについては、軒天板４の軒側の縁部を上昇させていけば、爪部材１７は後退、進出をして、軒天板４の軒側の縁部は、爪部材１７の爪部１７ａ，１７ａに支承されて取付け状態が形成され、軒天板４を容易に取り付けることができる。
【００３８】
更に、爪隠し材２３の取付けについても、その差込み板部２５を軒天保持部１３の立ち上がり板部１５と軒天板４との間に差し込んで対の鉤板部２７ａ，２７ａをスリット２４に挿入すれば、該鉤板部２７ａ，２７ａはスリット２４の両端の縁部に掛止され、爪隠し材２３を容易に取り付けることができる。
【００３９】
特に、爪隠し材２３の取付け時には、スリット２４は、軒天板４の軒側の縁部によって隠れてしまうが、爪隠し材２３の差込み板部２５の対の鉤板部２７ａ，２７ａを、目視可能な爪部材１７の対の爪部１７ａ，１７ａ間を通じて、差し込んでいくことにより、対の鉤板部２７ａ，２７ａをスリット２４に挿入掛止することができて、その面からも、爪隠し材２３を容易に取り付けることができる。
【００４０】
しかも、爪隠し材２３には、爪隠し板部２６が、差込み板部２５の下端部から外壁側に屈折するように備えられているので、爪隠し材２３は、その自重により、差込み板部２５が、水切り材３の破風水切り部分７の背面部側に重力付勢されて、該背面部に位置決めされ、フラツキのない安定した取付け状態を形成することができる。
【００４１】
また、水切り材３には、ステー部８が備えられているので、第１，第２の両ビス１１，１２によって、軒先部分に安定良くしっかりと取り付けることができ、しかも、ステー部８を備えさせることによって、屋外に晒されたままにされる破風水切り部分７の外面部への現場でのビス打ちを省略することができて、破風水切り部分７の止水性能を良好なものにすることができ、加えて、水切り材３の取付けについても、第２ビス１２は、そのビス軸線が水切り材３の破風水切り部分７の下端側部分と交錯しない態様で垂木１の下面部に打たれているので、第２ビス１２を、水切り材３の破風水切り部分７の下端側部分の存在に妨げられることなく、ステー部８を通じて垂木１の下面部に打つことができ、水切り材３の取付けを施工容易に行っていくことができる。
【００４２】
以上に、本発明の実施形態を示したが、本発明はこれに限られるものではなく、発明思想を逸脱しない範囲で各種の変更が可能である。例えば、上記の実施形態では、水切り材３に対する爪隠し材２３の掛止保持構造として、特定構造の掛止部品２７を用いて行った場合を示したが、その他の構造をした掛止部品を用いて爪隠し材２３をスリットに掛止させる構造としてもよいし、第１，第２発明では、スリットや掛止部によらない他の取付け構造によって取り付けられていてもよい。
【００４３】
また、上記の実施形態では、軒天板４の取付けを、その軒側の縁部を上昇させることで、傾斜部２２の作用によって爪部材１７を後退、進出させて、爪部材１７に支承させる構造としているが、第１発明では、そのような傾斜部２２を省略し、爪部材１７をバネ２０の付勢力に抗して後退させた状態に保持して、その状態で、軒天板４の軒側の縁部を爪部材１７の上方に上昇させ、そして、爪部材１７をバネ２０の付勢力で進出させるというようにして取り付ける構造にされていてもよい。
【図面の簡単な説明】
【００４４】
【図１】実施形態の軒先構造を示すもので、図（イ）は断面正面図、図（ロ）は要部拡大正面図である。
【図２】水切り材と軒天板と爪隠し材を分離状態にして示す斜視図である。
【図３】水切り材と軒天板と爪隠し材を向きを異ならせて分離状態にして示す斜視図である。
【図４】図（イ）は爪部材の斜視図、図（ロ）は軒天保持部と軒天板とを分離状態にして示す正面図、図（ハ）及び図（ニ）は爪部材の作動状態に示す平面図である。
【図５】図（イ）〜図（ハ）は軒天板の取付け方法を順次に示す正面図、図（ニ）は爪隠し材の掛止部部分を拡大して示す斜視図である。
【図６】図（イ）及び図（ロ）は、図７（ハ）（ニ）と共に、軒先構造の施工方法を順次に示す断面正面図である。
【図７】図（ハ）及び図（ニ）は、図６（イ）（ロ）と共に、軒先構造の施工方法を順次に示す断面正面図である。
【図８】図（イ）は従来の軒先構造を示す断面正面図、図（ロ）はその分解正面図である。
【符号の説明】
【００４５】
１…垂木
３…水切り材
４…軒天板
５…軒樋
６…軒先水切り部分
７…破風水切り部分
８…ステー部
１２…第２ビス（ビス）
１３…軒天保持部
１４…底板部
１５…立ち上がり板部
１６…天板部
１７…爪部材
１７ａ…爪部
２０…バネ（付勢手段）
２３…爪隠し材
２４…掛止用スリット
２５…差込み板部
２６…爪隠し板部
２７ａ…鉤部（掛止部）
【図１】
2008303556.tif 000003
【図２】
2008303556.tif 000004
【図３】
2008303556.tif 000005
【図４】
2008303556.tif 000006
【図５】
2008303556.tif 000007
【図６】
2008303556.tif 000008
【図７】
2008303556.tif 000009
【図８】
2008303556.tif 000010